Podtech/llm-jp-corpus-v4-ja_patent huggingface dataset:
(57)【要約】      （修正有）【課題】水上または水中での移動の際に、手で漕ぐなどの人力を不要とするために、持ち運びが容易で、体に直接装着しても安全な、水上と水中での推進装置を提供摺る。【解決手段】推進装置内の水路２に流入した水を、スクリュー３により加速することで推進力を生み出し、人力に依ることなく水上または水中を移動できるようにする。また、スクリューは水路内に設置し水路の前後端を網４で塞ぐことで使用者もしくは他者とスクリューが接触するおそれをなくす。【選択図】図１
2013103703.tif 000002
【特許請求の範囲】
【請求項１】
装置内の水路に流入した水をスクリューで加速させて排出することで、推進力を生み出し使用者を移動させる推進装置。
【請求項２】
長さと幅を３０ｃｍ以下、厚みを１５ｃｍ以下、質量を６ｋｇ以下とすることで持ち運びと水上と水中での移動を容易にした推進装置。
【請求項３】
スクリューを装置内の水路に設置し、水路の前後端を網で塞ぐことで、使用者及び他者にスクリューが接触しないようにした推進装置。
【発明の詳細な説明】
【技術分野】
【０００１】  この発明は持ち運びが容易な、水上と水中で移動を行う際の推進装置に関する。
【背景技術】
【０００２】  持ち運びが容易で、体に直接装着しても安全な、水上と水中での推進装置はなかった。
【発明の概要】
【発明が解決しようとする課題】
【０００３】  本発明者は、水上もしくは水中で移動する際に、推進装置によって推進力を生み出し手で漕ぐなどの人力を不要とすることを目的とする。
【課題を解決するための手段】
【０００４】  推進装置内の水路に流入した水を、スクリューにより加速することで推進力を生み出し、人力に依ることなく水上または水中を移動できるようにする。また、スクリューは水路内に設置するし、水路の前後と網で塞ぐことでスクリューが使用者もしくは他者と接触するおそれをなくす。
【発明の効果】
【０００５】  使用者はこのような推進装置によって推進力を得ることが出来、水上と水中での人力に依らない移動が可能になる。
【図面の簡単な説明】
【０００６】
【図１】本発明の側面方向からの断面図である。
【図２】本発明の使用例である。
【発明を実施するための形態】
【０００７】  以下、本発明の実施の形態について説明する。
（イ）水路内に水路２を設ける。水路２内に設置されたスクリュー３によって、水路内に流入した水を加速し、水路後端から排出することで推進力を生み出す。水路の前後部には網４を設置する。スクリュー３を前後が網で塞がれた水路内に設置することで、使用者もしくは他者とスクリューが接触する恐れをなくす。
（ロ）本発明はベルト５によって、図２のように体に装着して使用する。
【符号の説明】
【０００８】１……推進装置本体
２……水路
３……スクリュー
４……網
５……ベルト
【図１】
2013103703.tif 000003
【図２】
2013103703.tif 000004
(57)【要約】      （修正有）【課題】従来は原油等と淡水等、或いは穀物等のように性質が大きく異なる物質を同一のタンクで扱うことは、様々な制約があり現実的ではなかった。同一のタンクに於いて、大きく特性の異なる液体等が容易に扱うことができるようにする。【解決手段】従来の鋼製タンクＡに複数の注排口とタンクの内側に柔軟，且つ耐油性のある強靱な素材で造られたバック式のタンクＢを設ける。各々専用のタンクを用いることなく、大きく特性の異なる液体等が容易に扱える。【選択図】図１
2013103765.tif 000002
【特許請求の範囲】
【請求項１】
〔概念図〕（イ）に示す通り、従来の鋼製タンク（Ａタンク）の内側に柔軟、且つ耐油性のある強靱な素材で造られたバック式タンク（Ｂタンク）を有する構造。
【請求項２】
〔概念図〕〔図３〕（ロ）は鋼製タンク（Ａタンク）とバック式タンク（Ｂタンク）が油分に因り固着する恐れがあり、これを軽減する為に半球状突起をＢタンクの外側全面に設ける。
【請求項３】
〔概念図〕〔図３〕（ハ）は鋼製タンク（Ａタンク）とバック式タンク（Ｂタンク）が油分に因り固着した場合は、鋼製タンクの上部に備えたウインチとバック式タンクを結んだ索を巻き上げて、これらを引き剥がす為の装置である。
【発明の詳細な説明】
【技術分野】
【０００１】  本発明は、従来の鋼製タンクに複数の注入口と排出口を設け、さらに、鋼製タンクの内側に、柔軟、且つ耐油性のある強靱な素材で造られたバック式のタンクを設ける。
【背景技術】
【０００２】  従来、原油等と淡水等では、専用のタンクを用いなければならなかった。
【発明の開示】
【発明が解決しようとする課題】
【０００３】  従来、原油等と淡水等、或いは穀物等のように性質が大きく異なる物質を同一のタンクで扱うことは、様々な制約があり現実的ではなかった。
油槽船はバラストタンクが不可欠であるが、バラストタンク内は海水に晒され、これに因って錆等が発生して船体を大きく損傷する。
バラストタンク内の保守工事は構造上、極めて劣悪な環境の下で作業に従事しなければならない。
【課題を解決するための手段】
【０００４】  〔２層式タンク概念図〕従来の鋼製タンクに複数の注排口とタンクの内側に柔軟，且つ耐油性のある強靱な素材で造られたバック式のタンクを設けることにより、課題の解決を図る。
【発明の効果】
【０００５】  （イ）２層式タンクを用いることにより、同一のタンクに於いて、大きく特性の異なる液体等が容易に扱える。
（ロ）従来の油槽船に不可欠であった、バラストタンクが不要になる。
（ハ）産油国の多くは、恒常的な水不足に悩まされているが、本発明により、それらの地域に日本の安価で良質な淡水を大量に供給することが出来る。以上の効果により油槽船の運用コストの低減に大きく寄与するものである。
【発明を実施するための最良の形態】
【０００６】  〔２層式タンク概念図〕〔図２・３〕鋼製タンクに複数の注排口とタンクの内側に柔軟，且つ耐油性のある強靱な素材で造られたバック式のタンクを設ける。
【図面の簡単な説明】
【０００７】〔２層式タンク概念図〕〔図２・３〕本発明の２層式タンクを概念的に表したものである。
【符号の説明】
【０００８】Ａタンク従来の鋼製タンク
Ｂタンク本発明のバック式タンク
【図１】
2013103765.tif 000003
【図２】
2013103765.tif 000004
【図３】
2013103765.tif 000005
【手続補正書】
【提出日】平成24年2月8日(2012.2.8)
【手続補正２】
【補正対象書類名】明細書
【補正対象項目名】０００７
【補正方法】変更
【補正の内容】
【０００７】
【図１】  「図１は２層式タンク概念図に於ける平面図」
【図２】  「図２はＢタンク収納時に於ける断面図」
【図３】  「図３はＢタンク展開時に於ける断面図」
(57)【要約】      （修正有）【課題】簡易な構造により、肌に接触する布部分の着脱が可能な、ボディスクラブウォッシャーを提供する。【解決手段】適宜の長さと、ゆるいカーブを有するハンドルアーム１先端のヘッド部分２に、タオル等を差し込む穴３を設けるとともに、ボディスクラブウォッシャー専用布の両端の紐をひっかけるための溝６を設け、穴にタオル等を差し込み、専用布をタオル等の上から装着することで、適度な弾力が加わり、好みのタッチで身体や背中を片手でも洗浄できる。専用布は、あかすり布、泡立ちネット、タオル地等があり、用途によって付け替えることができるようになっている。布部分の脱着が可能なため、洗濯や乾燥が容易でカビ等の心配もない。【選択図】図１
2013103114.tif 000002
【特許請求の範囲】
【請求項１】
タオルやスポンジ等の差し込み用の穴を設けた、適度なカーブを有するボディスクラブウォッシャー本体。
【請求項２】
専用布部分装着時にずれを防止するために設けた、ボディスクラブウォッシャー本体に設置した溝。
【請求項３】
請求項１・２に記載の柄に取り付けるための、一端にリングを装着し、もう一端を、タオル等を巻き込んで縛るための結び紐をつけ、両サイドにシャーリングをつけたボディスクラブウォッシャー専用の布。
【発明の詳細な説明】
【技術分野】
【０００１】  この発明は、身体を洗浄するため、ハンドルアーム先端のヘッドに設置した穴に、タオル等と専用あかすり布等を装着して使用する、着脱可能なボディスクラブウォッシャーに関するものである。
【背景技術】
【０００２】  従来ボディブラシやボディあかすりは、本体の柄の一部と一体となっていた。
【先行技術文献】
【特許文献】
【０００３】
【発明の概要】
【発明が解決しようとする課題】
【０００４】  これは次のような欠点があった。
（イ）、従来背中を洗浄するための、ボディブラシ等は、本体の柄の一部と一体となっており、バラバラにして乾燥することが出来ないため、カビ発生の心配があった。
（ロ）、また、ブラシを苦手とする人が、タオル等で背中を洗浄する際の動作が、五十肩等である場合は難しく、背中を洗浄することが出来なかった。
本発明は以上のような欠点をなくすためになされたものである。
【課題を解決するための手段】
【０００５】  ボディスクラブウォッシャーのハンドルアーム（１）先端のヘッド部分（２）に設置した穴（３）にタオル等（４）を差し込み、専用布等（５）をタオルの外側から装着し、差し込んだタオル（４）をヘッド部分（２）とハンドルアーム（１）の境目に設置した溝（６）を利用して固定する。
本発明は、以上の構成よりなる、着脱式ボディスクラブウォッシャーである。
【発明の効果】（イ）入浴後、タオル等と布部を取り外せるので、乾燥が楽に出来る。
（ロ）また、専用布は用途に応じて、あかすりや泡立ち布、タオルなどと付け替えることができるため、ブラシが苦手な人でも背中まですっきり洗浄できる。
【図面の簡単な説明】
【０００６】
【図１】本発明のボディスクラブウォッシャーの斜視図
【図２】本発明のボディスクラブウォッシャーの断面図
【図３】本発明のボディスクラブウォッシャーの使用状態を示す側面図
【図４】本発明のボディスクラブウォッシャー専用布の形状
【発明を実施するための形態】
【０００７】  以下、本発明を実施するための形態について説明する。
ボディスクラブウォッシャーのハンドルアーム（１）先端のヘッド部分（２）に設置した穴（３）にタオル等（４）を差し込み、専用布等（５）をタオル等の外側から装着し、差し込んだタオル等（４）をヘッド部分（２）とハンドルアーム（１）の境目に設置した溝（６）を利用して固定する。
これを使用するときは、従来のボディブラシのように背中等を洗浄し、使い終わったらタオル等と専用布等を取り外せば良い。
【符号の説明】
【０００８】  １  ハンドルアーム
２  ヘッド部分
３  穴
４  タオル等
５  専用布等
６  溝
【図１】
2013103114.tif 000003
【図２】
2013103114.tif 000004
【図３】
2013103114.tif 000005
【図４】
2013103114.tif 000006
(57)【要約】【課題】今までは洗濯機に水を送るだけのポンプとして使っていたため、洗濯水としてしか利用出来なかった。しかも風呂として使用した汚れた水がそのまま洗濯槽へ運ばれていただけだった。【解決手段】ポンプに汚れを落とすためのヘッドブラシと、水をきれいにするためのフィルター、手を濡らさないためのとってを取付ける。ホースの先にシャワーヘッドを取り付けることにより、洗濯水以外の利用を可能にした。【選択図】図１
2013103113.tif 000002
【特許請求の範囲】
【請求項１】
ポンプ機能に加えて、汚れを落とすためのヘッドブラシと、水をきれいにするためのフィルター、手を濡らさないためのとってを設けたことを特徴とするバスポンプ
【請求項２】
ホースの先にシャワーヘッドを取り付けることにより、きれいにした水をシャワーとして使用したり、再び浴槽へ戻すことを特徴とする。従来の洗濯槽へ水を送るだけの機能にとどまらず風呂水の再利用や節約を行うことが出来る。
【発明の詳細な説明】
【技術分野】
【０００１】この発明は、汲み上げに伴い汚れを落とすポンプに関するものである。
【背景技術】
【０００２】従来のバスポンプは、風呂水の汲み上げ・ホースによる洗濯槽への移動を行うのみである。
【発明の概要】
【発明が解決しようとする課題】
【０００３】しかしながら、風呂水が汚れていた場合、洗濯槽へ汚れた水が運ばれてしまう欠点があった。
【課題を解決するための手段】
【０００４】以上の課題を解決するために、本発明は、水の汲み上げを行いながらなおかつ風呂のぬるぬる・汚れを取り除き、風呂水をきれいに浄水することを最も主要な特徴とする。
【発明の効果】
【０００５】本発明のバスポンプは、水の汲み上げと同時に、風呂のぬるぬる・汚れを取り除き、浴槽の水をきれいに浄水することが出来る。また、ホースの先にシャワーヘッドを取り付けることにより、洗濯槽へ水を運ぶだけにとどまらず、きれいにした水を再び浴槽に戻すことが出来、シャワーとしても使うことが出来るという利点がある。
【図面の簡単な説明】
【０００６】
【図１】本発明の横視図である。
【図２】本発明の分解横視図である。
【図３】バスポンプの実施方法を示した説明図である。
【発明を実施するための形態】
【０００７】以下、本発明の実施の形態を図２に示す。
１、２、３、４をドッキングし、（４−２）部分に、とって（５）を付ける。
（４−１）部分に、ホース（６）またはホース（６）の先にシャワーヘッド（７）を取り付ける。
【実施例１】
【０００８】本発明を使用する時は、とって（５）部分を持ち、ポンプ部分を浴槽の中に入れ、ハケ・ブラシのついたヘッド（１）を使い、汚れを吸い上げる。【０００９】吸い上げた水はフィルターまたは浄水ネット（３）を通り、ホース（６）を通じて、きれいな水が洗濯槽へ送り出される。【００１０】あるいは、ホース（６）の先にシャワーヘッド（７）を取り付けることによってシャワーとしても使用できる。【００１１】あるいは、シャワーヘッド（７）を浴槽の中へ沈めることによって、浴槽から吸い上げた汚水をきれいな水にして、再び浴槽に戻すことが出来る。
【符号の説明】
【００１２】１        ハケ・ブラシのついたヘッド
２        フィルターを入れる部分
３        フィルターまたは浄水ネット
４        ポンプ本体
４−１    送水口
４−２    とっての取付口
４−３    電源コード
５        とって
６        ホース
７        シャワーヘッド
【図１】
2013103113.tif 000003
【図２】
2013103113.tif 000004
【図３】
2013103113.tif 000005
(57)【要約】      （修正有）【課題】介護に於いて患者を自動寝返りさす為に、安全で患者が不快感無く、装置が介護の邪魔にならず、取扱いが簡単である自動寝返り装置を提供する。【解決手段】ベッド外側四隅に建てた支柱の上部に跳ね上げ枠（二本のパイプと面ファスナー取り付け板で構成された枠）をベッド左右其々に回転可能な状態で取り付け、エアーアクチュエーターを使いロットを介して跳ね上げ枠回転軸パイプ、着脱ジョイントから伝えることにより回転動力を得、さらにシーツ１の両端を跳ね上げ枠に面ファスナーで取り付ける構成とする。【選択図】図１
2013103117.tif 000002
【特許請求の範囲】
【請求項１】
介護ベッドのシーツ両端を外側に引っ張り乍上に持ち上げ寝返りさせる装置で、仰臥している状態で両端を持ち上げ、身体をベッドより浮上させてシーツ右側を下げると右に寝返り、再びシーツ両端を持ち上げてシーツ左側を下げると左に寝返る、この動作を一定の時間毎に繰り返す寝返り装置であり、その構造はベッド外側四隅に建てた支柱の上部に跳ね上げ枠（二本のパイプと面ファスナー取り付け板で構成された枠）をベッド左右其々に回転可能な状態で取り付け、回転動力はエアーアクチュエーターを使いロットを介して跳ね上げ枠回転軸パイプ、着脱ジョイントから伝え、シーツ両端は跳ね上げ枠に面ファスナーで取り付ける。
【請求項２】
ベッド両端の支柱に取り付けた、跳ね上げ枠は介護の邪魔に成らない為に着脱ジョイントから取り外し可能とする。
【請求項３】
シーツは横方向に伸縮する厚手の生地を使い、身体をベッドから浮上さす時は体形にフイットして圧力が分散し、皮膚の一部が圧迫されて出来る褥瘡を防ぐ事が出来る。
【発明の詳細な説明】
【技術分野】
【０００１】  本発明は、寝たきり患者の褥瘡（床ズレ）を防ぐため、最低でも２時間毎に寝返りが必要です。その介助を軽減する為の自動寝返り装置である。
【背景技術】
【０００２】  自宅で老人が老人を介護する、所謂、老々介護で悲惨な結果をマスコミで知るにつけ、介護という重労働から負担を軽減するために必要とされる装置である。介護人の最大の負担は患者の褥瘡（床ズレ）を防ぐ為に最低でも２時間毎に寝返りさせる必要がありますが。その為に介護人の寝不足による体力消耗は限界を越えて苦しむ原因となっています。その２時間毎の寝返りを安全に行い、患者本人も安心し快適な装置でないと無人状態で運転することは出来ません。更に食事の世話や諸介護に装置が邪魔になる構造では介護が煩雑になります。
【発明の概要】
【０００３】  本発明はベッドのシーツ左右の端を其々に斜め上・外側に引っ張り、患者の身体をベッドから浮上させて、その状態で右端を下げれば右に寝返り、再び両端を持ち上げ左端を下げれば左に寝返る構造とする。シーツは装置と面ファスナーで着脱可能とし、寝返り装置の一部は介護の邪魔にならない様に左右其々に取り外す事が出来る構造とする。患者の上半身を電動介護ベッドで起こす時もシーツを上半身分だけ装置から外し身体を起こす事が出来る。
【発明が解決しようとする課題】
【０００４】  安全で使い易く患者に快適な寝返り装置は、ベッドの中央で確実に寝返りさせ、シーツの両端は高くして転落を防止ができること。寝返り装置を使用しない時は簡単に取り外しが出来て介護の邪魔に成らないものであること。身体をシーツで包み込まず左右にゆとりがある状態で寝返りすること。
【課題を解決するための手段】
【０００５】  本発明は安全のためにシーツの左右の端をベッドマットより高い位置に固定し、身体が転落しない為のベッドの防護柵の役目をさせる。寝返りさせる時はシーツの両端より内側の下からパイプでシーツを持ち上げて身体がベッドより浮上したら、寝返り方向のパイプを下げるとベッドの中央で安全に寝返りさす事が出来る。シーツ両端に面ファスナーを縫い付けて相手のファスナーは左右跳ね上げ枠（二本のパイプと平面ファスナー取り付け板）に固定し、介護を容易に出来るようにベッド両サイドから取り除く事が出来る。シーツは横方向に伸縮する生地で作り、身体を持ち上げても生地の伸びで体形にフィットして左右からの圧迫は無く、身体全体に圧力が分散され負担が少なくなる。
【図面の簡単な説明】
【０００６】
【図１】装置の俯瞰図であり、装置の部品は左右対称で符号も同じ番号であるために片方の符号は省略する。図２・図３・図４も同じく片方の符号は省略する。符号５（エアーアクチュエーター）の動力は符号７（着脱ジョイント）で跳ね上げ枠（２・３・４で構成された部分）を回転させて符号２（パイプ）を動かしシーツを上下さす。跳ね上げ枠（２・３・４で構成された部分）は符号７（着脱ジョイント）から取り外す事が出来る。
【図２】符号２（パイプ）を左右両方とも上げてシーツを持ち上げ身体はベッドから浮上している状態図である。この時シーツは左右に伸縮する生地で作り符号２が上がりシーツを外側に引っ張っても生地が伸びる為に張り詰めても板状態に成らず体形にフィットして圧力を分散して支える。
【図３】左側跳ね上げ枠の符号２（パイプ）を下げて左に寝返りさせた状態図である。
【図４】左右両方の符号２（パイプ）を下げて、ベッドに仰臥している状態図である。
【符号の説明】
【０００７】１・シーツ
２・跳ね上げ枠の上下動パイプ
３・跳ね上げ枠回転軸パイプ
４・シーツ着脱用面ファスナーと取り付け板
５・エアーアクチュエーター
６・支柱
７・着脱ジョイント
【図１】
2013103117.tif 000003
【図２】
2013103117.tif 000004
【図３】
2013103117.tif 000005
【図４】
2013103117.tif 000006
(57)【要約】【課題】ステッキの使用時、グリップから手を放してもステッキを身体から放さず、両手が使え、またステッキが物に引っかかったりトラブルがおきても、瞬時にグリップから手が放れるため、身体がステッキと共に転倒する心配がない、着脱自在なステッキ用直立タイプのストラップを提供する。【解決手段】ベルトとベルトの巾より狭く、長さ短めのテープ状のひもを重ねて、Ｕ字形にしたものを、横一文字に置いたベルトの上に乗せ、その両端を内側に折り曲げ、折り曲げた左平面上、右平面上の２箇所に、接触着脱部材を設ける。【選択図】図２
2013103125.tif 000002
【特許請求の範囲】
【請求項１】
ベルトとベルトの巾より狭く、長さ短めのテープ状のひもを重ねて、Ｕ字形にしたものを、横一文字に置いたベルトの上に乗せ、その両端を内側に折り曲げ、折り曲げた左平面上、右平面上の２箇所に、接触着脱部材を設けた、着脱自在のステッキ用直立タイプのストラップ。
【発明の詳細な説明】
【技術分野】
【０００１】本発明は、ステッキのグリップ（握り部）上に設けた手を通す、ステッキ用直立タイプのストラップに関するものである。
【背景技術】
【０００２】従来、ステッキのシャフト（棒状部）にストラップ状の細いひもの輪が、下がった状態で取り付けてあり、それに手を入れてグリップ（握り部）を握ることが知られている。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】従来のステッキには、次のような欠点があった。
（イ）ステッキのシャフト（棒状部）に、ゴムや金具にストラップ状のひもの輪がついているが、そのひもの輪を手に掛けてステッキを使用すると、細い柔らかいひも状なのでステッキが何かに引っかかり、アクシデントが起きたとき、手からひもが瞬時に放れないので、ステッキと共に身体が、転倒する危険があった。
（ロ）ステッキについているストラップ状のひもの輪は、ステッキのシャフト（棒状部）に下がった状態で装着されているので、ステッキ使用時そのひもの輪を手首に掛け両手を使う時ひもの輪とステッキが一直線の形にならないので、ステッキの重さ、長さが定まらずブラブラして安定感がない。
本発明は、以上の問題点を解決するためになされたものである。
【課題を解決するための手段】
【０００６】ベルト（２）とベルト（２）の巾より狭く長さが短めのテープ状のひも（３）を重ねて、Ｕ字形にし、ベルト（２）と同じ巾のベルト（４）を横一文字に置いた上に、ベルト（２）とひも状のテープ（３）を重ねたＵ字形の両端（２ａ）、（３ａ）、（２ｂ）、（３ｂ）がベルト（４）の巾からでないように乗せ、ベルト（４）の両端（４ａ），（４ｂ）を内側に折り曲げ、Ｕ字形の先端を覆い隠す。接触着脱部材（５）を折り曲げたベルト（４）の左平面上に、接触着脱部材（５）の一方の部材を（５ａ）を、右平面上に接触着脱部材（５）の一方の部材（５ｂ）を設ける。
以上の構成よりなるステッキ用直立タイプのストラップ。
【発明の効果】
【０００７】ステッキ（６）の使用時、ステッキ（６）が物に引っかかったりアクシデントが起きたとき、グリップ（握り部）（８）から手が抜けて放れ易く、ステッキ（６）と共に身体が転倒する等のトラブルに、巻き込まれることを防止できる。グリップ（握り部）（８）から手を放すと、瞬時に手首にステッキ（６）が、ストラップの持ち手（１）と共に掛けられた状態となり、手首に掛けられたストラップ（１）とステッキ（６）が、縦一直線となり、ブラブラしない安定感があり、ステッキ（６）を身体から放すことなく、両手を使うことができる。
【図面の簡単な説明】
【０００８】
【図１】本発明の平面図
【図２】本発明の平面図
【図３】本発明の使用状態を示す正面図
【図４】本発明の断面図
【発明を実施するための形態】
【０００９】以下、本発明を実施するための最良の形態について説明する。
（イ）材質に張りのあるベルト（２）と、ベルト（２）の巾より狭く長さは短めのテープ状のひも（３）を重ねてＵ字形にする。
（ロ）ベルト（２）と同じ巾と材質のベルト（４）を横一文字に置き、その上にＵ字形にしたベルト（２）の一方の端（２ａ）、テープ状のひも（３）の一方の端（３ａ）と、ベルトの一方の端（２ｂ）、テープ状の一方の端（３ｂ）を、ベルト（４）の巾からでないように重ね、ベルト（４）の両端（４ａ）、（４ｂ）を内側に折り曲げ、Ｕ字形の両先端（２ａ）（３ａ），（２ｂ）（３ｂ）を覆い隠す。
（ハ）内側に折り曲げたベルト（４）の左平面上に、接触着脱部材（５）の一方の部材（５ａ）と右平面上に、接触着脱部材（５）の一方の部材（５ｂ）を設ける。
本発明は以上のような構造である。
本発明を使用するときは、ステッキのシャフト（７）に、接触着脱部材（５）の一方の部材（５ａ）接触着脱部材（５）の一方の部材（５ｂ）で装着すると、グリップ（８）上にアーチの形の持ち手直立タイプのストラップ（１）になり、手を入れてグリップ（８）を握り、買い物などでサイフからお金を出すときなど両手を使う時、グリップ（８）から手を放すと瞬時に手首に、ステッキ（１）が下がった状態となる。また、グリップ（８）から手が放れやすいので、ステッキ（６）と共に身体が転倒する等のトラブルに巻き込まれることを防止できる。ベルト（２）の内側に重ねたテープ状のひも（３）が、グリップ（８）に掛かった状態となるので、ストラップ（１）が下にさがることを防ぎ、ストラップ（１）とステッキの軸シャフト（７）と一体となっているので、手首にステッキ（１）を下げてもブラブラせず安定感がある。また、ステッキ（６）に装着したストラップ（１）のベルト（２）の表面、ベルト（４）の表面に飾り物（９）を施せば、ファッションの一部として楽しむことができる。
【実施例】
【・・・・】
【産業上の利用可能性】
【・・・・】
【符号の説明】
【００１０】（１）ステッキ用直立タイプのストラップ、（２）ベルト、（２ａ）ベルト２の一方の端、（２ｂ）ベルト２の一方の端、（３）テープ状のひも、（３ａ）テープ状ひも３の一方の端、（３ｂ）テープ状ひも３の一方の端、（４）ベルト、（４ａ）ベルト４の一方の端、（４ｂ）ベルト４の一方の端、（５）接触着脱部材、（５ａ）接触着脱部材５の一方の部材、（５ｂ）接触着脱部材５の一方の部材、（６）ステッキ、（７）シャフト（ステッキの棒状部）、（８）グリップ（握り部）、（９）飾り物、
【受託番号】
【・・・・】
【図１】
2013103125.tif 000003
【図２】
2013103125.tif 000004
【図３】
2013103125.tif 000005
【図４】
2013103125.tif 000006
(57)【要約】【課題】本発明は、排泄ケアーの中で一番大変な大便の処理に関して清潔化の向上と軽労化を計るものである。  従来の排泄ケアーでは大便が尻部に拡がり清潔さと労力と云う点で介護者を悩まして来たが其の原因である大便の拡がりを防ぐ排泄介護用品を提供する。【手段】中心部に大便の通過口を設けた帯状の本体の一端をＵ字状にカットし大便通過口のふちまわりと帯状本体の両端にそれぞれ両面粘着テープを粘着し本体の裏面側には通水性の生地による大便の溜り室を設ける。【選択図】図２
2013103128.tif 000002
【特許請求の範囲】
【請求項１】
Ｕ字形にカットされた一端を持つ帯状の本体の中心部に大便の通過口を設けその通過口のふちまわりと本体の両端には両面粘着テープを粘着しておき、本体の裏面側には通水性の生地による大便の溜り室を設けた排泄介護用品。
【発明の詳細な説明】
【技術分野】
【０００１】  本発明は、急速に高齢化が進む中で介護とゆう行為の内の排泄ケアー見ると小水用のおむつとパッドは可成進歩が見られるが、大便の処理は進歩が無く現在も介護者の一番大きな労苦となっている。
【背景技術】
【０００２】  従来、排泄ケアーとしてのグッズはおむつとおむつカバーが常識で最近は尿とりパッドとゆう言葉も聞かれる様になり尿に関しては進歩が見られるが大便に関しては進歩が見られない状況である。
【発明の概要】
【発明が解決しようとする課題】
【０００３】  排泄ケアーで大便の処理は介護者にとって一番の労苦を強いられる行為であり又被介護者にとっては肛門から出た大便が股間に拡がり一部が背中側に廻り込む事は非常な不快感である
本発明は以上の諸問題を解決し排泄ケアーの快適化の向上を目差すものである。
【課題を解決するための手段】
【０００４】  帯状のベース本体に大便の通過口を設けその通過口のまわりは両面粘着テープを貼付しておきベース本体の両端にも両面粘着テープを付けておく。両面粘着テープの付いていない反対側の面（ベース本体の裏面）には通水性素材による大便の溜り室を設ける、ベース本体の一端はＵ字状に切除されている。
本発明は以上の構成により排泄された大便による汚れの拡がりを防止する。
【発明の効果】
【０００５】  排泄ケアーに当り現在のおむつカバーとパッドだけでなく本発明を併用する事により排泄した大便による尻部まわりの汚れの拡大を防ぎ介護者の労苦の縮小を実現する。
【図面の簡単な説明】
【０００６】
【図１】本発明の平面図
【図２】本発明の左側面図
【図３】本発明の裏面図
【図４】本発明のＢ−Ｂ断面図
【図５】本発明のＡ−Ａ断面図
【図６】本発明を装着時に装着バーを押し下げた時の断面図
【図７】本発明の装着バーの正面図
【図８】本発明の装着バーの平面図
【図９】本発明の裏面に装着バーを当てた図
【図１０】本発明に装着バーを当てた側面図
【図１１】本発明の足を支えるバーの正面図
【図１２】本発明の足を支えるバーの左側面図
【図１３】本発明の装着を受ける時の被介護者の姿勢図
【図１４】本発明の足を支えるバーを彼介護者にセットした図
【発明を実施するための形態】
【０００７】以下、本発明の実施の形態を説明する。
（イ）本発明は不織布等ソフトな生地により構成される。
（ロ）ベース本体（１）の中央部に大便の通過口（１０）が開口しておりそのふちぞいには両面粘着テープ（２）が接着されている。
（ハ）ベース本体（１）の両端にも両面粘着テープ（３）（４）（５）が接着されている。
（ニ）図（３）に表示されているベース本体（１）の裏面側には大便の溜り室（６）が設けられている。
（ホ）本発明の装着行為には装着バー（７）と足を支えるバー（８）が必要である。
本発明は以上の構成よりなる。
本発明を使用する場合は被介護者を図（１３）の様な姿勢に臥せ上側の足を持ち上げ図（１４）の様な位置に足を支えるバー（８）をセットして股間を拡げる。
本発明を平な所に置き図（９）の様に装着バー（７）を当て押し下げ図（６）の様に本発明が装着バー（７）に巻き付く様な状態にする、その後両手、指でＵ字状に巻き持ち上げ粘着テープ（２）（３）（４）（５）の表面の紙を全部剥がし取る。次に本発明の大便通過口（１０）と肛門の位置とを合わせて股間に押し当てる。
次にベース本体（１）の一端（Ｕ字形にカットされていない方）を股間づたいに引張りながら背中側に貼り付け、もう一端の方も引張りながら腹部側に貼り付ける。
【符号の説明】
【０００８】  （１）本体ベース、（２）（３）（４）（５）両面粘着テープ、（６）大便の溜り室、（７）装着バー、（８）支えバー、（９）クッション、（１０）大便通過口、（１１）被介護者、
【図１】
2013103128.tif 000003
【図２】
2013103128.tif 000004
【図３】
2013103128.tif 000005
【図４】
2013103128.tif 000006
【図５】
2013103128.tif 000007
【図６】
2013103128.tif 000008
【図７】
2013103128.tif 000009
【図８】
2013103128.tif 000010
【図９】
2013103128.tif 000011
【図１０】
2013103128.tif 000012
【図１１】
2013103128.tif 000013
【図１２】
2013103128.tif 000014
【図１３】
2013103128.tif 000015
【図１４】
2013103128.tif 000016
(57)【要約】【課題】素材の透き通ったおはじきを利用し、鮮やかで美しい様々なカラーを醸し出して色褪せし難くし、スリッパの蒸れや臭いを防ぎ、丈夫で長持ちするように工夫した中敷スリッパを提供する。【解決手段】ゴム系の柔らかい中敷きを二枚用意し、おはじきがぴったりと入る丸穴（２）をたくさん開け、その穴におはじき（３）を詰め込んで、裏側でしっかり粘着させ、中敷きと中敷きの間（４）にカラーの布地を張り付けて色彩を鮮明に出し、もう一枚の中敷き（５）を張り合わせ、三重にして丈夫で壊れにくくしたものである。【選択図】図４
2013103122.tif 000002
【特許請求の範囲】
【請求項１】
中敷きに適した滑らかな素材を、足型に合わせて二枚カットし、一枚の中敷きに多数の丸穴を開け、その穴におはじきを詰め込んで、おはじきが外れないように裏でしっかり粘着させ、残り一枚の中敷きを張り合わせて二重にし、丈夫で壊れにくくし、スリッパの中敷きに最適なおはじきを素材に選んだ事により、スリッパ独特の蒸れや臭い汚れ等を防いで、見映えまで美しく豪華に生まれ変わったおはじきスリッパである。
【請求項２】
おはじき特有の透き通ったカラーを、より豪華に魅せるために、スリッパの中敷きと中敷きの間に華やかなカラーの布地を挟み込んで、おはじき本体よりも美しく鮮明に輝かせて様々なカラーを醸し出せるように工夫したおはじきスリッパである。
【発明の詳細な説明】
【技術分野】
【０００１】本考案はスリッパの中敷きに丸穴をたくさん開け、その穴におはじきを詰め込んで、蒸れや臭いを防いで汚れにくくし、さらに、二重下敷きにして丈夫で壊れにくくし、透き通ったおはじきのカラーをより輝かせるために、おはじき本体が持っている特徴を最大限活用し、おはじきを詰め込んだ中敷きの裏側に、カラーの布地を貼り付ける事によって、より鮮やかで美しい様々なカラーを醸し出してくれるようにし、蒸れや臭いを防ぎ丈夫で長持ちするように工夫したおはじきスリッパである。
【背景技術】
【０００２】種々のスリッパが売り出されているが、特徴として蒸れるので臭くなりやすい、さらに壊れやすく色褪せしやすい、見映えも今一つ良くないなど多々の問題点があり、結局は飽きやすくて長持ちしないので何度も買い換える必要があった。
【考案が解決しようとする課題】
【０００３】スリッパ独特の蒸れや臭いを防ぎ、丈夫で壊れにくく長持ちして飽きのこない、色褪せし難いスリッパが理想であるが故に、これらの問題点を一気に解決するための最適な素材が必要であった。
【課題を解決するための手段】
【０００４】ゴム系で柔らかい中敷きを二枚用意し、一枚の中敷きにおはじきがぴったりと入る大きさの穴を多数開け、その穴におはじきを一つ一つ詰め込んで、おはじきが外れないように裏側でしっかりと粘着させ、おはじき特有の透き通った美しいカラーをより美しく醸し出すために、中敷きの裏側にお好みのカラー布地を挟み込んで、もう一枚の中敷きを貼り付けて、スリッパの下敷き部分をくり抜き、そこにおはじき中敷きを入れてぴったりと固定させる。
【考案が解決しようとする形態】
【０００５】（１）ゴム系で滑らかな素材を用い（１）、足の大きさに合わせて二枚（両足で四枚）カットする。
（２）カットした中敷きの片方に、おはじきがぴったりと入る丸穴（２）を、全体に多数開ける。
（３）穴を開けた中敷きに、おはじきを一つ一つ詰め込み（３）、裏側でしっかりと粘着させて、おはじきが外れないようにしっかり固定させる。
（４）おはじきを詰め込んだ中敷きの裏側に、お好みのカラー布地を挟む（４）。
（５）［図３］のように、６，４，５の順番に載せて挟み、しっかりと粘着させる。
（６）スリッパの中敷きを入れる部分をくり抜き、そのスリッパのくり抜いた穴におはじきの中敷きを詰め込み固定させ貼り付ける。
【発明の効果】
【０００６】従来のスリッパとはイメージが異なり、蒸れて臭くなったりし難く、また汚れにくく色褪せしにくい、さらに、中敷きが二重構造なので丈夫で壊れにくく、おはじきの涼しげで透き通った特徴を最大限活かして、中敷きと中敷きの間にカラーの布地を挟み込んだ事によって、様々な美しく鮮やかなカラーを醸し出す事ができたので、綺麗で見映えが良く丈夫で長持ちするおはじきスリッパである。
【図面の簡単な説明】
【０００７】
【図１】上面図
【図２】上面図
【図３】上面図
【図４】斜視図
【符号の説明】１、表の中敷き
２、中敷きの丸穴
３、穴に詰めたおはじき
４、カラーの布地（中央）
５、裏側の中敷き
【図１】
2013103122.tif 000003
【図２】
2013103122.tif 000004
【図３】
2013103122.tif 000005
【図４】
2013103122.tif 000006
(57)【要約】【課題】体臭の原因の一つである酸性物質由来の体臭を改善する。【解決手段】体臭の原因の一つである酸性物質由来の体臭を、クエン酸ナトリウム、クエン酸カリウム、及びこれらの合剤の内服により代謝産物の重炭酸イオンが生体内で塩基として作用し酸塩基反応で体臭原因の酸性物質を中和して体臭を改善する。【特許請求の範囲】
【請求項１】
クエン酸ナトリウム、クエン酸カリウム、及びこれらの合剤を有効成分とする体臭改善剤。
【請求項２】
酸性物質由来による体臭に対する改善剤であることを特徴とする請求項１に記載の改善剤。
【発明の詳細な説明】
【技術分野】
【０００１】この発明は、クエン酸塩内服により体臭を改善するものである。
【背景技術】
【０００２】従来、体臭を軽減するために芳香物を体臭元に散布又は飲用していた。
【先行技術文献】
【０００３】
【特許文献】
【特許文献】特開２００９−２８０５７３号広報
【発明の概要】
【発明が解決しようとする課題】
【０００４】体臭の原因の一つである酸性物質由来の体臭を改善する。
【課題を解決するための手段】
【０００５】体内外の酸性物質由来の体臭を、クエン酸ナトリウム、クエン酸カリウム、及びこれらの合剤の内服により代謝産物の重炭酸イオンが生体内で塩基として作用し酸塩基反応で体臭原因の酸性物質を中和して体臭を改善する。
【発明の効果】
【０００６】クエン酸ナトリウム、クエン酸カリウムは食品添加物及びサプリメントなどに使用され比較的安全に服用でき酸塩基反応で体臭原因を根本的に改善する。
【発明を実施するための形態】
【０００７】クエン酸ナトリウム、クエン酸カリウムの合剤が電解質のバランスを保つため好ましい。
【手続補正書】
【提出日】平成23年11月22日(2011.11.22)
【手続補正１】
【補正対象書類名】明細書
【補正対象項目名】０００５
【補正方法】変更
【補正の内容】
【０００５】酸性物質由来の体臭を、クエン酸ナトリウム、クエン酸カリウム、及びこれらの合剤の内服により代謝産物の重炭酸イオンが生体内で塩基として作用し酸塩基反応で体臭原因の酸性物質を中和して体臭を改善する。
(57)【要約】【課題】携帯を可能にすることで、運動を継続しながら体温冷却、又は涼感を得ることを可能とする。【解決手段】サイクリング等の運動時、風に曝されていながら、その運動を中断することで体温冷却、又は涼感を得ていた状態において、稼動、停止の操作を簡素化し、かつ携帯することが可能な形体で、運動を継続しながら体温冷却、又は涼感を得る。【選択図】なし【特許請求の範囲】
【請求項１】
ペットボトルを使用することで補給、交換が容易になった水タンクと、乾電池、モーター、ポンプのみでコンパクト化した本体と、噴霧ノズルを付けた噴射口をそれぞれをチューブで接続することで携帯できるようになったのでサイクリング等の個人の運動時において、その運動を継続しながら起きる風と霧状の水を浴びることで涼感を得ることを特徴とする噴霧器。
【発明の詳細な説明】
【技術分野】
【０００１】
本発明はサイクリング等の個人の運動時、その運動を継続しながら熱中症対策が容易に行える噴霧器に関するものである。
【背景技術】
【０００２】
熱中症対策の一つとして水による体温冷却がある。扇風機などから霧状の水が噴射され体に浴びて体温冷却、又は涼感を得る装置などである。その装置は多数の人々に効果を与えるため高電力を必要とし、大型化したため据付型ある。歩行時はそれでも充分であった。
【０００３】
しかし、ジョギング、ウォーキング、サイクリング等の移動をする時には、電源の確保には発電機が必要となり、故に移動しながら効果を得ることができない欠点があった。
【０００４】
この改善策として、軽量化、コンパクト化の方法がある。電源は乾電池で確保し、その電源でポンプを稼動し、水タンクより水を吸い上げ、噴霧ノズル付排水口より霧状の水が排水される。水タンクもペットボトルで対応する。使用者が移動するので、風を得られ、その風が扇風機の役割を果たすため扇風機自体が必要なくなり、軽量化、コンパクト化が成される。
【発明の概要】
【発明が解決しようとする課題】
【０００５】
解決しようとする問題点は、サイクリング等の個人での運動時において、その運動を継続しながら体温冷却ができなかった点である。
【課題を解決するための手段】
【０００６】
本発明は、個人の運動時に起きる風を利用することにより、本発明自体の持ち運びや操作が容易なため、個人の運動を継続しながら体温冷却することを最も主要な特徴とする。
【発明の効果】
【０００７】
本発明は、スイッチ操作のみで稼動、停止ができるため、サイクリング等の個人の運動を中断することなく涼感を得れるという利点がある。
【発明を実施するための形態】
【０００８】
サイクリング等の個人の運動を継続しながら涼感を得るという目的を、サイクリング等の個人の運動時に起きる風を利用することにより扇風機の必要が無くなり、最小部品点数での軽量化、コンパクト化が実現した。
【実施例】
【０００９】
自転車走行時での使用の場合、乾電池、モーター、乾電池を内蔵した本体、水タンク、噴霧ノズル付噴射口をチューブでつなぎ、水の通り道を作る。スイッチがある本体を操作しやすいハンドルに、水タンクは自転車運転に邪魔にならないところに、噴霧ノズル付噴射口は自転車走行時、前面から風が来るのでハンドルの前方にそれぞれを装着する。自転車走行時に稼動すると前面からの風により霧状の水が自転車運転者に浴びせられ、その風により涼感が得られる。
(57)【要約】      （修正有）【課題】用紙の三つ折りは事務業などで多く行うが、目測できれいに折ることは難しく、印を付けてから折るという方法もあるが、手間もかかり、印が目立ってしまう。三つ折り専用機械も販売されているが、高額のため、大量に三つ折りを行う人以外は手軽に購入できるものではない。三つ折りの為の安価な器具も提案されているが、器具に合せて折る、もしくは器具と一緒に折る物であり、作業中も用紙のズレを注意しなければならないうえ、ズレも生じやすい。また、ズレに注意しながらの慎重な作業では素早く簡単に三つ折りはできない。【解決手段】発明器具に用紙をセットすると、用紙の１／３の位置が器具の角になり、その器具の角を用紙の上からなぞり、用紙に折れ目をつけるという新たな方法で折る。紙を止めるための段差を設け、用紙セットをスムーズにし、滑り止を器具の角から５ｍｍ〜６ｍｍと近い所に設けることで、作業中の用紙のズレをなくす事ができる。【選択図】図１
2013116821.tif 000002
【特許請求の範囲】
【請求項１】
用紙をセットすると、用紙の１／３の位置が器具の角になり、その器具の角を用紙の上からなぞると、用紙に正確な折れ目をつける事ができることを特徴とした用紙の三つ折り器具。
【請求項２】
紙を止めるため段差を設け、用紙セットをスムーズにし、滑り止を器具の角から５ｍｍ〜６ｍｍと近い所に設けることで、作業中の用紙のズレをなくす事ができる事を特徴とした用紙の三つ折り器具。
【発明の詳細な説明】
【技術分野】
【０００１】この発明は、用紙に三つ折りの折れ目をつける技術に関する。
【背景技術】
【０００２】用紙の三つ折りは事務業などで多く行うが、目測できれいに折ることは難しく、しるしを付けてから折るという方法もあるが、手間がかかり、しるしが目立ってしまう。
三つ折り専用機械も販売されているが、高額のため、大量に三つ折りを行う方以外は手軽に購入できるものではない。
【先行技術文献】
【特許文献】
【０００３】
【特許文献１】特開２００８−２６０２５６号公報
【特許文献２】特開２００１−１３８６９１号公報
【特許文献３】実登３１４４６５４号公報
【発明の概要】
【発明が解決しようとする課題】
【０００４】  しかしながら、以上の技術によれば、高額機械ではないものの、器具に合せて折る、もしくは器具と一緒に折るという方法であり、作業中も用紙のズレを注意しなければならないうえ、ズレも生じやすい。
また、ズレに注意しながらの慎重な作業では素早く簡単に三つ折りはできない。そこでこの発明は、安価で早く簡単に、そして正確な三つ折り器具を提供することを課題とする。
【課題を解決するための手段】
【０００５】  以上の課題を解決するために第一の発明は、三つ折り器具に早く簡単に用紙をセットするための紙を受ける段差を設けたこと。
第二の発明は三つ折り具にゴム付の滑り止を設けたこと。
また第三の発明は、セットした用紙の上から、器具の角をなぞり折れ目をつくるという、新たな方法で折ること。
【発明の効果】
【０００６】  第一発明により用紙のセットが早く、簡単になり第二発明により用紙がズレることが無く、正確な三つ折りができ、しかも第三の発明によりとても早く簡単に正確な三つ折りができる。
【図面の簡単な説明】
【０００７】
【図１】この発明の実施形状を示す斜視図である。
【図２】この発明の使用時の実施形状を示す斜視図である。
【発明を実施するための形態】
【０００８】この発明の実施形態を図１に示す。
この発明の本体はプラスチック製プレートであり、厚さは３ｍｍ〜６ｍｍである。本体の端に用紙を受けるための段差が設けられており、その段差から折れ目を付ける角までは、三つ折りにしたい用紙の１／３の長さである。
全体の幅は三つ折りにしたい用紙より１ｃｍ程度大きいサイズである。
折れ目を付ける角から５ｍｍ〜６ｍｍほど内側の所に開閉式のゴムの付いた滑り止めが設けられている。
【実施例】
【０００９】  この実施形状によれば、段差に用紙をあてるだけで用紙のセットは終わり、滑り止めで用紙を挟むことで、作業中のズレが無くなる。
その後は器具の角を用紙の上からなぞれば、三つ折りの折れ目ができる。
この時点で折れ目はまだ完全ではないが、できた折れ目にそって完全に折る事は容易である。
三つ折りのもう１つの折り目も同様に折る事が出来る。
【符号の説明】
【００１０】１  用紙を受ける段差        ２  開閉式ゴム付滑り止め
３  折れ目を付ける角        ４  用紙の１／３の長さ
５  ゴム付滑り止めで用紙を押さえる
６  用紙の上から器具の角をなぞる
７  セットした用紙
【図１】
2013116821.tif 000003
【図２】
2013116821.tif 000004
(57)【要約】【課題】風化花崗岩から多品種のミネラルを多量に含有し、癌とか糖尿病の治療に効果を発揮する超ミネラル水を製造する方法を提供する。【解決手段】風化花崗岩を５〜１５メッシュの篩にかけた砂若しくは土状風化花崗岩に、２０〜３０容量％の希硫酸を、重量で希硫酸対風化花崗岩０．７対１．３〜１．３対０．７となるように混合し、室温にミネラル濃度１５重量％以上となるまで放置することによって、癌とか糖尿病の治療に効果を発揮する超ミネラル水が得られる。【選択図】なし【特許請求の範囲】
【請求項１】
風化花崗岩を５〜１５メッシュの篩にかけた砂若しくは土状風化花崗岩に、２０〜３０容量％の希硫酸を、重量で希硫酸対風化花崗岩０．７対１．３〜１．３対０．７となるように混合し、室温にミネラル濃度１５重量％以上となるまで放置することを特徴とする超ミネラル水の製造方法。
【発明の詳細な説明】
【技術分野】
【０００１】
この発明は、癌治療や糖尿病の治療に卓越した効果を発揮する超ミネラル水の製造方法に関する。
【背景技術】
【０００２】
雲母系鉱物が風化したバーミキュライトを希硫酸に溶解させてミネラル水を製造することは公知である（特許文献１参照）。しかしながら、このようにして製造したミネラル水は、凝集剤とか植物成長促進剤としては、効果があったが、癌とか糖尿病の治療には、全く効果はなかった。
【特許文献１】特公平１−４４３６３号
【発明の開示】
【発明が解決しようとする課題】
【０００３】
本発明は、風化花崗岩から多品種のミネラルを多量に含有し、癌とか糖尿病の治療に効果を発揮する超ミネラル水の製造方法を提供することを目的とする。
【課題を解決するための手段】
【０００４】
上記目的に沿う本発明の構成は、風化花崗岩を５〜１５メッシュの篩にかけて得た砂若しくは土状風化花崗岩に、２０〜３０容量％の希硫酸を、重量で希硫酸対風化花崗岩０．７対１．３〜１．３対０．７となるように混合し、室温にミネラル濃度１５重量％以上となるまで放置することを特徴とする。
【０００５】
本発明で言う超ミネラル水とは、多品種且つ多量（１５重量％以上）のミネラルを溶解したミネラル水である。
【発明の効果】
【０００６】
本発明によれば、多品種且つ多量のミネラルを溶解した超ミネラル水が得られるが、この超ミネラル水は、癌や糖尿病の治療に卓越した効果を発揮することが判明したので、現在数カ所の病院で癌の治療等に使用されている。
【発明を実施するための最良の形態】
【０００７】
次に、本発明の実施の形態を説明する。
【０００８】
本発明に使用する風化花崗岩は、花崗岩が風化したものであり、土状、砂状及び粒状のものが混合している。本発明に使用するのは、土状及び砂状のものであり、この混合物をそのまま原料として使用したのでは、本発明で言う超ミネラル水は得られない。また、本発明に使用する風化花崗岩は、ラジウムを含むと共に遠赤外線を発生することが実験により確認されている。
【０００９】
本発明に使用するラジウムを含む風化した花崗岩としては、海底火山で生成されたものが、太平洋プレートで陸地化してから６０００万年以上経過したものを使用することができる。この風化した花崗岩は、石英、長石、雲母が大豆粒以下に壊れているので、スコップで採取することができる。
この風化した花崗岩の分析結果を次表１に示す。
【００１０】
【表１】
2013116871.tif 000002
上記分析結果から明らかなように、本発明の風化した花崗岩には、ラジウムが微量に含有されている。
【００１１】
本発明に於いては、風化花崗岩を５〜１５メッシュの篩にかけて、下に落ちた砂若しくは土状風化花崗岩を使用する。篩に残った粒状の風化花崗岩は、浄水器に使用している。下に落ちた砂若しくは土状風化花崗岩を使用しないと、本発明で言う超ミネラル水は得られない。従来は、下に落ちたものは砂若しくは残土と称して捨てられていた。
【００１２】
この砂若しくは土状風化花崗岩を硫酸と混合して、ミネラル分を溶解させるが、使用する硫酸濃度は、２０〜３０容量％の希硫酸を使用する。この範囲外であると、本発明で言う超ミネラル水は得られない。
【００１３】
重量で希硫酸対風化花崗岩を０．７対１．３〜１．３対０．７となるように混合し、これを室温に放置する。この範囲外であると、同様に本発明で言う超ミネラル水は得られない。
【００１４】
上記希硫酸と風化花崗岩との混合物を、ミネラル濃度が１５重量％以上となるまで室温に放置する。室温の温度によっても若干異なるが、１ヶ月程度放置すると、可溶性ミネラル分が多量に出てきて１５重量％以上となる。実験結果によると、１５重量％〜２５重量％となる。
【００１５】
本発明の製法は、室温に長期間放置することを特徴とするが、加熱したのでは、ミネラル濃度は１５重量％以上となるが、癌とか糖尿病の治療に効果を発揮する超ミネラル水は得られない。
【００１６】
次に、実施例を挙げて、本発明を更に説明する。
【００１７】
（製造実施例）
風化花崗岩を１０メッシュの網（篩）で篩い分けする。下に落ちた砂若しくは残土を、本発明の原料に使用する。この砂若しくは土状風化花崗岩１０kgに、２５容量％の希硫酸１０kgを加えて、２０kg入りのポリ容器に入れて１ヶ月間室温に放置した。株式会社アタゴ製造の濃度計を使用して、濃度を測定すると、ミネラル濃度は１５.３重量％であった。
【００１８】
野島尚武医学博士（「超ミネラルですべてのガンは完治する」の著者）は、上記のようにして製造した超ミネラル水を１００倍に希釈し、癌や糖尿病の患者に毎日６０cc飲ませて、癌や糖尿病が完治することを報告している。
【００１９】
上記著書には、「超ミネラルの成果はとどまるところを知らず、絶望していた患者さん達が希望に満ちた生活を取り戻し、次々とクリニックを後にした。この段階ではまだ、なぜ完治しているのか推測すらできないまま治療を続けていたが、完治までの過程で通常の癌治療と大きく異なる、次のような特長が挙げられる。（１）痛みを伴わない。（２）化学療法と併用すると副作用が発現しない。（３）転移が見られない。」と記載されている。
【００２０】
また糖尿病については、「これまでの例から判断すると、症状の程度によるが完治には至らなくとも、インシュリンの投与が不要になり、また糖尿病とほかの疾病の合併症がなくなった。糖尿病の治療を開始してから３年ほどなのでここまでの考察しかできないが、確実に病状は好転し、軽い糖尿病であればすでに完治した方も大勢いる。」と記載されている。
【産業上の利用可能性】
【００２１】
本発明の超ミネラル水を使用し、癌や糖尿病が完治することは既に報告されているので、今後ますます使用されることが期待される。